(57)【要約】  【課題】  作業性、耐久性に優れていると共に、製造コストを増加させることのないロープ連結用フック装置を提供する。  【解決手段】  ロープ連結用フック装置１０は、２本のロープの中の一方のロープに形成されたループと係合可能なフック体１と、他方のロープを結縛するロープ孔３を備えたフック装置本体２とから構成されており、フック体１は、回動軸４によって、フック装置本体２に回動自在に軸支されると共に、係止突起５を備えている。また、フック装置本体２は、フック体１の係止突起５を係止する係止装置６を備えており、この係止装置６は、フック装置本体２に設けられた長孔７内を移動可能なローラー体８と、このローラー体８を一方向に付勢するバネ部材９とを備えている。【選択図】図１
2016014459.tif 000002
【特許請求の範囲】
【請求項１】
２本のロープの中の一方のロープに形成されたループと係合可能なフック体と、他方のロープを結縛するロープ孔を備えたフック装置本体とを備えたロープ連結用フック装置において、
前記フック体は、前記フック装置本体に回動自在に軸支されると共に、係止突起を備え、
前記フック装置本体は、前記フック体の係止突起を係止する係止装置を備えており、該係止装置は、フック装置本体に設けられた長孔内を摺動可能なローラー体と、該ローラー体を一方向に付勢するバネ部材とを備え、
前記フック体を一方向に回動させることによって、前記係止突起が、前記ローラー体を一方向に押圧し、該ローラー体の下方に前記係止突起が入り込むことによって係止状態となり、
前記ローラー体を一方向に押圧して前記長孔内を移動させた後、該ローラー体の上方に前記係止突起が移動するように、前記フック体を前記一方向とは逆方向に回動させることによって、係止解除状態となることを特徴とするロープ連結用フック装置。
【請求項２】
フック装置本体の長孔近傍には、ロック装置が備えられており、該ロック装置によるロック状態では、ローラー体の長孔内での移動を阻止することを特徴とする請求項１に記載のロープ連結用フック装置。
【請求項３】
ローラー体は、円筒状のローラー体本体と、該ローラー体本体を回動可能に軸支する軸体と、該軸体の両端部に固定されたリング体とから形成されており、該リング体には、操作用のロープが結び付けられるものであって、前記軸体がフック装置本体に設けられた長孔内を移動可能な状態で設置されていることを特徴とする請求項１又は２に記載のロープ連結用フック装置。
【請求項４】
係止突起は、傾斜面と、平面とを備えており、前記傾斜面は曲面にて形成されていることを特徴とする請求項３に記載のロープ連結用フック装置。
【請求項５】
フック装置本体は、フック体の所定の角度以上の回転を阻止するストッパー体を備えていることを特徴とする請求項１〜４のいずれか１項に記載のロープ連結用フック装置。
【発明の詳細な説明】
【技術分野】
【０００１】
本発明は、ロープ連結用フック装置に関するものであり、主に、漁網などの操作に用いるロープを互いに連結するロープ連結用フック装置に関するものである。
【背景技術】
【０００２】
従来から、係止状態と係止解除状態とを有するフック装置が開発されてきており、例えば、図５に示すフック装置２０は、上部に吊下部２２を設け、下部を下方に開いた二股状部分とした吊垂本体２１と、一側を頭部２９とし、他側をフック部３０としてその間を吊垂本体２１の二股状部分に軸着し、フック部３０より頭部２９の重量を大とするとともに、吊下部２２の吊下点と軸着点の延長線よりロープを掛止させるフック部内縁底部２７をフック部３０の先端側に偏位させるものであった。
【０００３】
また、上記フック装置は、フック部の外縁にはフック部方向へ向けて開放した係止段部３１を設けたフック２８と、フック２８の頭部２９を吊垂本体２１側に回動したときに頭部２９側面に当接する位置に吸着部２３を有するフック２８の一時保持手段２５と、フック２８の係止段部３１に、フック部３０の開放端を略下方へ向けて位置づけして係止しうる爪片２４を先端にして二股状部分に軸着してなるフックの位置保持手段２６とを備えていた（特許文献１）。
【０００４】
上記特許文献１に記載のフック装置は、フックの頭部を吊垂本体側に回動して頭部側面を一時保持手段の吸着部で吸着させることにより、労力を要せず容易に、吊垂本体にフックを保持することができるものであった。
【先行技術文献】
【特許文献】
【０００５】
【特許文献１】実公平６−６１４９号公報
【発明の概要】
【発明が解決しようとする課題】
【０００６】
しかしながら、上記特許文献１に記載のフック装置では、一時保持手段の吸着部に磁石を使用していることから、強力な磁力を備えた磁石を必要とすると共に、この磁石に吸着させる頭部側面のさびを除去する必要があった。また、漁網などの操作に用いるロープを互いに連結するロープ連結用フック装置として適用するためには、波の荒い海上での作業であることから単純な作業であることが好ましく、耐久性を備えたフック装置である必要があった。
【０００７】
本発明は、上述した問題点を解決するためになされたものであり、係止状態と係止解除状態とを単純な作業により行うことができ、作業性、耐久性に優れていると共に、製造コストを増加させることのないロープ連結用フック装置を提供することを目的としている。
【課題を解決するための手段】
【０００８】
請求項１の発明は、２本のロープの中の一方のロープに形成されたループと係合可能なフック体と、他方のロープを結縛するロープ孔を備えたフック装置本体とを備えたロープ連結用フック装置において、前記フック体は、前記フック装置本体に回動自在に軸支されると共に、係止突起を備え、前記フック装置本体は、前記フック体の係止突起を係止する係止装置を備えており、該係止装置は、フック装置本体に設けられた長孔内を摺動可能なローラー体と、該ローラー体を一方向に付勢するバネ部材とを備え、前記フック体を一方向に回動させることによって、前記係止突起が、前記ローラー体を一方向に押圧し、該ローラー体の下方に前記係止突起が入り込むことによって係止状態となり、前記ローラー体を一方向に押圧して前記長孔内を移動させた後、該ローラー体の上方に前記係止突起が移動するように、前記フック体を前記一方向とは逆方向に回動させることによって、係止解除状態となることを特徴としている。
【０００９】
本発明に係るロープ連結用フック装置は、係止突起と、ローラー体及びバネ部材とからなる係止装置とによって、容易に係止状態及び係止解除状態にすることができるので、作業性に優れている。
【００１０】
また、ローラー体及びバネ部材によって強固な係止状態を実現することができ、複雑な部品構成となっていないことから、耐久性に優れたロープ連結用フック装置である。さらに、部品点数が少ないことから、比較的安価に製造することができるロープ連結用フック装置である。
【００１１】
請求項２の発明は、請求項１の発明において、フック装置本体の長孔近傍には、ロック装置が備えられており、該ロック装置によるロック状態では、ローラー体の長孔内での移動を阻止することを特徴としている。したがって、ロック状態では、フック体から一方のロープが外れるのを防ぐことができる。
【００１２】
請求項３の発明は、請求項１又は２の発明において、ローラー体は、円筒状のローラー体本体と、該ローラー体本体を回動可能に軸支する軸体と、該軸体の両端部に固定されたリング体とから形成されており、該リング体には、操作用のロープが結び付けられるものであって、前記軸体がフック装置本体に設けられた長孔内を移動可能な状態で設置されていることを特徴としている。したがって、操作用のロープを操作することによって、ローラー体本体を回動可能に軸支する軸体を長孔内において移動させることができ、安全に係止解除状態とすることができる。
【００１３】
請求項４の発明は、請求項１〜３のいずれかの発明において、係止突起は、傾斜面と、平面とを備えており、前記傾斜面は曲面にて形成されていることを特徴としている。したがって、曲面にて形成されている係止突起の傾斜面がローラー体を押圧することによって、容易にローラー体の下方に係止突起を入り込ませて係止状態とすることができる。
【００１４】
請求項５の発明は、請求項１〜４のいずれかの発明において、フック装置本体は、フック体の所定の角度以上の回転を阻止するストッパー体を備えていることを特徴としている。したがって、フック体が所定の角度以上回転することがないので、勢いよく回転してフック装置本体の係止装置を破壊するのを防ぐことができる。
【発明の効果】
【００１５】
請求項１の発明では、作業性及び耐久性に優れると共に、比較的安価に製造することができるロープ連結用フック装置を提供することができる。また、請求項２の発明では、ロープ連結用フック装置のフック体から一方のロープが外れるのを防ぐことができる。
【００１６】
また、請求項３の発明では、安全に係止解除状態とすることができる。また、請求項４の発明では、容易にローラー体の下方に係止突起を入り込ませて係止状態とすることができる。さらに、請求項５の発明では、フック体が所定の角度以上回転するのを防ぎ、フック装置本体の係止装置を破壊するのを防ぐことができる。
【図面の簡単な説明】
【００１７】
【図１】本発明に係るロープ連結用フック装置を示す正面図である。
【図２】係止状態のロープ連結用フック装置を示す正面図である。
【図３】係止解除状態のロープ連結用フック装置を示す正面図である。
【図４】ローラー体を拡大した平面図である。
【図５】従来のフック装置を示す断面図である。
【発明を実施するための形態】
【００１８】
次に、本発明の実施形態を図面に基づいて説明する。図１は、本発明に係るロープ連結用フック装置を示す正面図である。また、図２は、係止状態のロープ連結用フック装置を示す正面図である。図１に示すように、ロープ連結用フック装置１０は、２本のロープの中の一方のロープに形成されたループと係合可能なフック体１と、他方のロープを結縛するロープ孔３を備えたフック装置本体２とから構成されている。
【００１９】
そして、フック体１は、先端部１ａと、Ｕ字状部１ｂと、根元部１ｃと、Ｕ字状部１ｂの外側に固着された連結部１ｄと、根元部１ｃに固着された係止突起５とを備えており、連結部１ｄに穿設されている貫通孔に挿通された回動軸４によって、フック装置本体２に回動自在に軸支されている。尚、係止突起５は、傾斜面５ａと、平面５ｂとを備えている。
【００２０】
フック装置本体２は、後述するローラー体本体８ａやバネ部材９が挿入可能な間隔を空けた２枚の板材が回動軸４の両端部及び連結棒１３の両端部に固着された外形にて形成されている。また、フック装置本体２は、フック体１の係止突起５を係止する係止装置６を備えており、この係止装置６は、フック装置本体２に設けられた長孔７内を移動可能なローラー体８と、このローラー体８を一方向に付勢するバネ部材９とを備えている。尚、バネ部材９は、圧縮バネを使用しており、フック装置本体２を構成する２枚の板材間に固着された載置台１４上に載置され、ローラー体８側とは反対側の端部がフック装置本体２に固定されている。
【００２１】
そして、フック体１を一方向に回動させることによって、係止突起５の傾斜面５ａが、ローラー体８に接触すると共に、ローラー体８を一方向に押圧する。そして、ローラー体８は、バネ部材９の押圧力に抗して該バネ部材９を圧縮させ、長孔７内を図面上右方向に移動して、ローラー体８の下方に係止突起５が入り込むと、ローラー体８は、バネ部材９の押圧力によって、長孔７内を図面上、左方向に移動して、係止突起５の平面５ｂとローラー体８とが接触する状態となり、この状態で係止状態となる構成としている。
【００２２】
また、ローラー体８を長孔７内で図面上右方向に移動させた後、フック体１を前記一方向とは逆方向に回動させ、ローラー体８の上方に係止突起５が移動することによって係止解除状態となる構成としている。
【００２３】
また、フック装置本体２は、長孔７の近傍に、ロック装置１１が備えられている。図１は、ロック装置１１によるロックが解除された状態であり、図２は、ロック装置１１によるロックがされている状態である。図２に示すように、ロック装置１１によるロック状態では、ローラー体８が長孔７内での移動することを阻止されている。
【００２４】
即ち、ロック装置１１は、ロック体１１ａと、このロック体１１ａを回動可能に軸支する軸体１１ｂと、回り止め片１１ｃとから構成されており、軸体１１ｂがフック装置本体２の長孔７の近傍に固定されている。そして、ロック体１１ａは、図１に示すロック解除状態から反時計回りに回動させると、回り止め片１１ｃにより、図２の位置で停止する。
【００２５】
図２に示す状態では、ローラー体８を長孔７内で図面上、右方向に移動させるように押圧してもローラー体８の鍔部８ｄがロック体１１ａに接触することとなり、ローラー体８の長孔７内での右方向への移動が阻止されるのである。
【００２６】
図３は、係止解除状態のロープ連結用フック装置を示す正面図である。図３に示すように、係止解除状態では、フック体１は、回動軸４を中心にして、図面上、反時計方向に回転した状態となっている。図２に示した係止状態では、図示していない一方のロープの端部はループ状となっていて、フック体１に係止されており、他方のロープは、フック装置本体２のロープ孔３に結縛されている。即ち、図面上、左右方向に連結緊張された状態となっている。
【００２７】
一例として、本発明に係るロープ連結用フック装置１０を漁業用のロープ連結用フック装置として使用した場合には、フック装置本体２のロープ孔３に結縛されているロープの他端は、船に固定されており、フック体１に係止されている一方のロープは、漁網に連結している場合等を想定することができる。
【００２８】
そのような場合に、係止状態を解除した直後には、大きな力がフック装置に加わることになり、フック体１も勢いよく回動して、図面上、反時計回りに回動することとなる。そこで、フック装置本体２には、ストッパー体１２を設置して、フック体１の所定の角度以上の回転を阻止している。これにより、フック体１が勢いよく回転してフック装置本体２の係止装置６を破壊するのを防いでいるのである。尚、ストッパー体１２は、板材であり、その両端部がフック装置本体２を構成する２枚の板材に各々固着されている。
【００２９】
また、図３に示すように、フック体１を構成する係止突起５は、傾斜面５ａと、平面５ｂとを備えており、傾斜面５ａは曲面にて形成されている。このようにフック体１を構成することによって、係止状態が解除された図３に示す状態から、図１及び図２に示す係止状態へと復帰させる場合に、フック体１を図面上、時計回りに回動させることとなり、係止突起５の傾斜面５ａがローラー体８に当接する状態となる。
【００３０】
この状態で、さらにフック体１を時計回りに回動させる方向に力を加えると、ローラー体８が、バネ部材９の押圧力に抗して該バネ部材９を圧縮させ、長孔７内を図面上、右方向に移動することとなる。この時、係止突起５の傾斜面５ａがローラー体８の曲面に当接しているので、ローラー体８はスムースに回転しながら図面上、右方向に移動することとなる。
【００３１】
そして、フック体１の係止突起５がローラー体８の下方に入り込むと、ローラー体８は、バネ部材９の押圧力によって、長孔７内を図面上、左方向に移動して、係止突起５の平面５ｂ上に位置することによって、係止状態が完了する。
【００３２】
図４は、ローラー体を拡大した平面図である。図４に示すように、ローラー体８は、円筒状のローラー体本体８ａと、ローラー体本体８ａを回動可能に軸支する軸体８ｂと、軸体８ｂの両端部に固定されたリング体８ｃ、８ｃと、鍔部８ｄとから形成されており、リング体８ｃには、図示していない操作用のロープが、Ｙ字状に結び付けられるものである。
【００３３】
そして、軸体８ｂがフック装置本体２に設けられた長孔７内を移動可能な状態で設置されているので、操作用のロープを操作することによって、ローラー体本体８ａを回動可能に軸支する軸体８ｂを長孔７内においてバネ部材９を圧縮させる方向に移動させることができ、安全に係止解除状態とすることができる。
【産業上の利用可能性】
【００３４】
本発明のロープ連結用フック装置は、主に、漁網などの操作に用いるロープを互いに連結する装置として使用される。
【符号の説明】
【００３５】
１  フック体
２  フック装置本体
３  ロープ孔
４  回動軸
５  係止突起
６  係止装置
７  長孔
８  ローラー体
９  バネ部材
１０  ロープ連結用フック装置
１１  ロック装置
１２  ストッパー体
【図１】
2016014459.tif 000003
【図２】
2016014459.tif 000004
【図３】
2016014459.tif 000005
【図４】
2016014459.tif 000006
【図５】
2016014459.tif 000007